(57)【特許請求の範囲】
【請求項１】
データ通信センターから定期的に複数の各端末装置に通信を行ない、前記各端末装置の稼働情報を受信するデータ通信システムにおいて、
前記端末装置は、
データ通信センターからの通信呼び出しを検出する呼び出し検出手段と、
稼働情報を作成する稼働情報作成手段と、
前記データ通信センターとの通信回線を接続して通信を開始する通信開始手段と、
を備え、
前記呼び出し検出手段が前記データ通信センターからの呼び出しを検出したとき、前記稼働情報作成手段が稼働情報を作成し、
前記稼働情報作成手段が稼働情報の作成を終了した後、前記通信開始手段が通信を開始することを特徴とするデータ通信システム。
【請求項２】
請求項１に記載するデータ通信システムにおいて、
前記データ通信センターは前記端末装置への通信呼び出しから通信回線の接続まで一定の待ち時間を設けることを特徴とするデータ通信システム。
【請求項３】
請求項１又は請求項２に記載するデータ通信システムにおいて、
前記端末装置が通信カラオケ端末装置であり、
前記データが、カラオケ稼働情報であり、
前記データ通信センターは通信回線が接続された後に新曲データを前記端末装置へと送信し、その後に前記端末装置に対して前記稼動情報の送信の要求を行い、
前記端末装置は前記データ通信センターからの要求に応じて前記稼働情報作成手段により作成された稼働情報を前記データ通信センターへと送信することを特徴とするデータ通信システム。
【発明の詳細な説明】
【０００１】
【発明の属する技術分野】
本発明は、センターから定期的に通信を行い、端末の稼働情報を受信するデータ通信システムに関し、特に、センターからの通信呼び出しがあったときに端末が稼働情報を作成することにより、課金時間を長くすることなく最新の情報を送信することが可能なデータ通信システムに関するものである。
【０００２】
【従来の技術】
複数の通信回線を使用し、多数の端末装置を接続し、定期的に通信を行うデータ通信システムでは、各端末装置の稼働情報として、端末装置使用状況やエラー発生状況に関する情報を各端末装置から受信し分析することが行われる。従来一般に、各端末装置の稼働情報は、端末装置側で適宜作成しておき、通信センターからの通信呼び出しの際に送信する。あるいは、重大なエラーが発生したときには端末装置から呼び出しを行う場合もある。
【０００３】
一般に各端末装置側では、端末装置が使用されたとき、あるいは、エラーが発生したときなど報告事項が発生したときに適宜その状況を記憶しておく。そして、一定時間毎に、あるいは、端末装置の余裕のあるときに、端末装置の都合により、これら報告事項を稼働情報として作成しておく。そして、通信センターからの通信呼び出しがあり、稼働情報の送信要求を受信したとき、作成しておいた稼働情報を通信センターへ送信することが行われている。
【０００４】
しかし、この方法では、必ずしも最新の稼働情報が送信できるとは限らない。すなわち、最後に稼働情報を作成してから、通信センターからの送信要求があるまでに時間が経過してしまうと、その間に何等かの報告事項が発生することも考えられる。そのため、最新の情報を送信できるようにするため、通信センターからの通信呼び出しを受けて接続してから、稼働情報を作成する方法が考えられている。
【０００５】
【発明が解決しようとする課題】
しかしながら、通信を開始してから稼働情報を作成する方法では、稼働情報は最新情報となるが、稼働情報作成中も通信時間に含まれることになる。従って、稼働情報作成時間分の通信時間も課金されることになり、その分通信コストが高くなる。すなわち、端末装置側で適宜稼働情報を作成する方法では、必ずしも最新の情報が作成されず、また、通信中に作成する方法では通信コストが高くなるという問題がある。
【０００６】
本発明は前記従来における問題点を解消するためになされたものであり、通信コストを高くすることなく最新の稼働情報を送信できるデータ通信システムを提供することを目的とする。
【０００７】
【課題を解決するための手段】
前記目的を達成するため請求項１に係るデータ通信システムは、データ通信センターから定期的に複数の各端末装置に通信を行ない、前記各端末装置の稼働情報を受信するデータ通信システムにおいて、前記端末装置は、データ通信センターからの通信呼び出しを検出する呼び出し検出手段と、稼働情報を作成する稼働情報作成手段と、前記データ通信センターとの通信回線を接続して通信を開始する通信開始手段と、を備え、前記呼び出し検出手段が前記データ通信センターからの呼び出しを検出したとき、前記稼働情報作成手段が稼働情報を作成し、前記稼働情報作成手段が稼働情報の作成を終了した後、前記通信開始手段が通信を開始することを特徴とする。
【０００８】
請求項１のデータ通信システムでは、端末装置の呼び出し検出手段がデータ通信センターからの通信呼び出しを検出したとき、稼働情報作成手段が稼働情報を作成する。これにより、最新の稼働情報をデータ通信センターに送信することが可能となる。
また、端末装置の稼働情報作成手段が稼働情報を作成終了してから、通信開始手段が通信回線を接続する。これにより、稼働情報を作成中は通信を開始していないので、通信コストが高くなることなく、最新の稼働情報をデータ通信センターに送信することが可能となる。
【０００９】
また、請求項２に係るデータ通信システムは、請求項１のデータ通信システムにおいて、前記データ通信センターは前記端末装置への通信呼び出しから通信回線の接続まで一定の待ち時間を設けることを特徴とする。
【００１０】
請求項２のデータ通信システムでは、待ち時間の間に充分に稼働情報の作成が可能となる。
【００１１】
更に、請求項３に係るデータ通信システムは、請求項１又は請求項２に記載するデータ通信システムにおいて、前記端末装置が通信カラオケ端末装置であり、前記データが、カラオケ稼働情報であり、前記データ通信センターは通信回線が接続された後に新曲データを前記端末装置へと送信し、その後に前記端末装置に対して前記稼動情報の送信の要求を行い、前記端末装置は前記データ通信センターからの要求に応じて前記稼働情報作成手段により作成された稼働情報を前記データ通信センターへと送信することを特徴とする。請求項３のデータ通信システムでは、通信カラオケシステムにおけるデータ通信である。通信カラオケシステムでは、各データ通信センター毎に多数の通信カラオケ端末装置を有し、全端末装置の稼働情報を定期的に受信し分析する必要があるが、前記構成を有するデータ通信システムによれば、最新の稼働情報を通信コストを高くすることなく受信することが可能となる。
【００１２】
【発明の実施の形態】
以下、本発明に係るデータ通信システムについて、本発明を具体化した実施形態に基づき図面を参照しつつ詳細に説明する。まず、本実施形態に係るデータ通信システムの概略構成について図１に基づき説明する。図１は、データ通信システムの概略構成を示すブロック図である。なおここでは、通信カラオケシステムについて説明する。
【００１３】
図１において、データ通信システムは、基本的に、センタ装置１と端末装置１０に分けられる。センタ装置１には、端末装置１０との通信に用いられる通信装置２が設けられている。ここでは、その他の装置については省略する。
【００１４】
一方、端末装置１０は、ＣＰＵ１１を中心に構成されており、センタ装置１との通信に使用される通信装置１２、カラオケ演奏を行うカラオケ装置１３、カラオケ曲データや、使用状況、エラー発生状況等の端末情報を記憶する記憶装置１４がＣＰＵ１１に接続されている。さらに、ＣＰＵ１１内には、センタ装置１からの通信呼び出しを検出する呼び出し検出部１５、センタ装置１との通信を開始する際に通信回線を接続する通信開始部１６、記憶装置１４に記憶されている使用状況、エラー発生状況等の端末情報を用いて、センタ装置１に報告する稼働情報を作成する稼働情報作成部１７が含まれる。
【００１５】
次に、前記のように構成されたデータ通信システムにおいて、センタ装置１からの通信呼び出しに対応して、端末装置１０において稼働情報を作成し送信する動作について図２に基づき説明する。図２はセンタ装置１からの通信呼び出しに対応して、最新の稼働情報を作成し送信する通信プログラムのフローチャートである。図２の内、フローチャートＡはセンタ装置１で作動する通信プログラムＡのフローチャートであり、フローチャートＢは端末装置１０で作動する通信プログラムＢのフローチャートである。通信プログラムＡと通信プログラムＢは、それぞれセンタ装置１と端末装置１０において同時に実行される。
【００１６】
図２において、最新の稼働情報を送信するには、まずステップ（以下、Ｓと略記する）１００において、センタ装置１から端末装置１０に対し通信呼び出しを行う。通常、１日１回の通信呼び出しが行われ、新曲の曲データの送信と、稼働情報の受信が行われる。通信呼び出しのタイミングはセンタ装置１で決定され、端末装置１０がカラオケ演奏の使用中でも通信は可能である。
【００１７】
一方、端末装置１０では、呼び出し検出部１５が適宜、通信装置１２に対する通信呼び出しが行われているかどうかの判断を行っている（Ｓ２００）。Ｓ１００においてセンタ装置１から通信呼び出しが行われると、コール音を検出する事により、通信呼び出しがなされていると判断される（Ｓ２００：ＹＥＳ）。通信呼び出しがなされると、端末装置１０は稼働情報作成部１７を稼働させ、稼働情報を作成する（Ｓ２１０）。稼働情報の作成には記憶装置１４に記憶されているデータを使用し、１〜２秒の時間を要する。稼働情報の作成が終了したら、通信開始部１６が自動的に電話を取り、通信回線を接続する（Ｓ２２０）。通常、センタ装置１は通信回線の接続まで４５秒の待ち時間を設けてあるので、その間に充分稼働情報の作成が可能である。
【００１８】
この間、センタ装置１は通信回線が接続されるのを待つ（Ｓ１１０）。通信回線が接続されたら（Ｓ１１０：ＹＥＳ）、新曲データの送信等の処理の後、稼働情報送信要求を送出する（Ｓ１２０）。
【００１９】
端末装置１０では、稼働情報の送信要求を受信すると（Ｓ２３０：ＹＥＳ）、先に作成した稼働情報をセンタ装置１へ送信する（Ｓ２４０）。センタ装置１は稼働情報を受信し（Ｓ１３０）、これで全ての処理が終了するので通信回線を切断する（Ｓ１４０）。端末装置１０も通信処理が終了するので通信回線を切断し（Ｓ２５０）、終了する。
【００２０】
以上詳細に説明した通り本実施形態のデータ通信システムでは、呼び出し検出部１５がセンタ装置１からの通信呼び出しを検出した時、稼働情報作成部１７が稼働情報を作成し、稼働情報の作成が終了した後、通信開始部１６が通信回線を接続し通信開始するので、通信コストを高くすることなく最新の稼働情報を送信することができる。
【００２１】
尚、本発明は上記実施の形態に限定されるものでなく、その趣旨を逸脱しない範囲で様々な変更が可能である。例えば、ここでは、通信カラオケシステムについて説明したが、電気、ガスのメーター読み取り結果情報や、自動販売機の販売状況等の情報通信について行うこともできる。
【００２２】
【発明の効果】
以上説明した通り請求項１のデータ通信システムでは、端末装置の呼び出し検出手段がデータ通信センターからの通信呼び出しを検出したとき、稼働情報作成手段が稼働情報を作成する。これにより、最新の稼働情報をデータ通信センターに送信することができる。
また、端末装置の稼働情報作成手段が稼働情報を作成終了してから、通信開始手段が通信回線を接続する。これにより、稼働情報を作成中は通信を開始していないので、通信コストが高くなることなく、最新の稼働情報をデータ通信センターに送信することができる。
【００２３】
また、請求項２のデータ通信システムでは、待ち時間の間に充分に稼働情報の作成が可能となる。
【００２４】
更に、請求項３のデータ通信システムでは、通信カラオケシステムにおけるデータ通信である。通信カラオケシステムでは、各データ通信センター毎に多数の通信カラオケ端末装置を有し、全端末装置の稼働情報を定期的に受信し分析する必要があるが、前記構成を有するデータ通信システムによれば、最新の稼働情報を通信コストを高くすることなく受信することができる。
【００２５】
以上の通り本発明は、通信コストを高くすることなく最新の稼働情報を送信することのできるデータ通信システムを提供することができる。
【図面の簡単な説明】
【図１】  本発明のデータ通信システムの概略構成図である。
【図２】  本発明のデータ通信システムの動作を示すフローチャートである。
【符号の説明】
１    センタ装置
２    通信装置
１０  端末装置
１１  ＣＰＵ
１２  通信装置
１３  カラオケ装置
１４  記憶装置
【図１】
0004033935.tif 000002
【図２】
0004033935.tif 000003